(57)【特許請求の範囲】
【請求項１】
電気信号を光信号に変換して出射する発光素子と、前記発光素子に電気信号を供給する送信回路基板と、入射した光信号を電気信号に変換する受光素子と、前記受光素子から出力された電気信号を処理する受信回路基板と、前記発光素子から出射された光信号を光ファイバに導くとともに、光ファイバにより伝送されて来た光信号を前記受光素子に導く光学部品とを備えている双方向通信器において、
前記送信回路基板と前記受信回路基板とが対向して配置されており、
少なくとも前記光学部品が、前記送信回路基板と前記受信回路基板との間に配置され、
前記光学部品には、前記送信回路基板と前記受信回路基板との電気的な相互干渉を防止する電磁遮蔽層が形成されており、
前記光学部品には溝部が形成され、
前記電磁遮蔽層が、前記送信回路基板および前記受信回路基板と対向する、前記溝部内の面に形成されていることを特徴とする双方向通信器。
【請求項２】
前記発光素子と前記受光素子とが、前記送信回路基板と前記受信回路基板との間に配置されていることを特徴とする請求項１記載の双方向通信器。
【請求項３】
更に、光ファイバを保持するレセプタクルを備え、
前記レセプタクルが、前記送信回路基板と前記受信回路基板との間に配置されていることを特徴とする請求項１記載の双方向通信器。
【請求項４】
前記レセプタクルが、前記送信回路基板および前記受信回路基板を保持する保持手段を有することを特徴とする請求項３記載の双方向通信器。
【請求項５】
前記光学部品は、前記電磁遮蔽層として、前記発光素子から出射された光信号を光ファイバに導く機能と、光ファイバにより伝送されて来た光信号を前記受光素子に導く機能との少なくとも一方の機能を有するミラー部を更に備えることを特徴とする請求項１〜４の何れか１項に記載の双方向通信器。
【請求項６】
前記ミラー部は、金属膜を蒸着することにより構成され、溝部の内壁にも金属膜が蒸着されており、
溝部の内壁の金属膜は、ミラー部の金属膜の蒸着と同時に蒸着することにより形成されていることを特徴とする請求項５に記載の双方向通信器。
【請求項７】
前記発光素子と前記受光素子とが、送信回路基板と受信回路基板との対向方向において重合しないようにずれた位置に配置されていることを特徴とする請求項１〜６の何れか１項に記載の双方向通信器。
【発明の詳細な説明】
【０００１】
【発明の属する技術分野】
本発明は、光ファイバを用いた双方向通信器に関するものである。詳細には、双方向通信器を構成する部品の配置に関するものである。
【０００２】
【従来の技術】
光ファイバを用いた双方向通信器では、送信回路および受信回路で発生する各電磁ノイズが互いに相手回路に影響を及ぼし、良好な双方向通信の妨げとなる場合がある。特に、双方向通信器の小型化を図る場合には、送信回路と受信回路との距離が近くなり、上記電磁ノイズの相互干渉の影響がさらに大きくなる。
【０００３】
そこで、双方向通信器の小型化を図り、同時に相手回路への電磁ノイズの影響を防止するため、特開平１１−３４５９８７号公報には、図８に示すとおり、送信回路と受信回路とを別々の基板、つまり送信回路基板２４と受信回路基板２５とに形成し、この送信回路基板２４と受信回路基板２５との間に電磁遮蔽板である金属遮蔽板２８を設けた双方向通信器２０が開示されている。
【０００４】
具体的には、発光素子と受光素子とを備える送受信部２３の基板に対して、上記送信回路基板２４および受信回路基板２５を略直角に配して、この送信回路基板２４と受信回路基板２５との間の間隔を狭めて双方向通信器２０の小型化を図り、同時に、上記金属遮蔽板２８により送信回路と受信回路とを空間的および電気的に分離して上記電磁ノイズの影響を防止している。
【０００５】
ここで、上記金属遮蔽板２８は、筐体２９の側面、底面、もしくは、上面の少なくとも一面と一体に形成され、あるいは、上記送信回路基板２４と受信回路基板２５との延長上に、それぞれグランド層を形成するフレキシブル基板（図示せず）を延設して、このフレキシブル基板を送信回路基板２４と受信回路基板２５との間に折り込むことにより形成されている。
【０００６】
また、特開２００１−２９６４５７号公報にも、図９に示すとおり、送信回路基板３４と受信回路基板３５とを対向させて配置し、双方向通信器３０の小型化を図るとともに、送信回路基板３４と受信回路基板３５との間に電磁遮蔽板である金属遮蔽板３７を設けて上記電磁ノイズの影響を防止する双方向通信器３０が開示されている。
【０００７】
ここで、上記金属遮蔽板３７は、筐体３８内の金属遮蔽板保持部材３９により、この金属遮蔽板保持部材３９に沿うように固定されている。また、上記金属遮蔽板３７には、接地用端子（図示せず）が設けられており、この端子によって金属遮蔽板３７が接地されている。
【０００８】
【発明が解決しようとする課題】
しかしながら、上記従来の双方向通信器２０では、上記金属遮蔽板２８を、筐体２９の側面、底面、もしくは、上面の少なくとも一面と一体に形成する場合には、筐体２９の形状を特殊な形状にする必要がある。
【０００９】
また、上記フレキシブル基板を送信回路基板２４と受信回路基板２５との間に折り込むことにより金属遮蔽板２８を形成する場合には、上述したとおり、フレキシブル基板を送信回路基板２４および受信回路基板２５から延設しなければならず、複雑な構成となる。
【００１０】
さらに、上記双方向通信器２０では、金属遮蔽板２８と送信回路基板２４および受信回路基板２５との接触を避けるため、上記金属遮蔽板２８と送信回路基板２４および受信回路基板２５との間隔を一定距離以上に保つ必要がある。このため、送信回路基板２４および受信回路基板２５を保持する部材が新たに必要となる。または、筐体２９自体を送信回路基板２４および受信回路基板２５を保持するような構造とする必要がある。
【００１１】
それゆえ、送信回路基板２４と受信回路基板２５との間隔を狭めようとしても、金属遮蔽板２８との間隔の確保、および、上記回路基板（２４・２５）を保持する部材の設置のため、双方向通信器２０の小型化には限界がある。
【００１２】
一方、上記従来の双方向通信器３０では、上述したとおり、金属遮蔽板３７を固定するための金属遮蔽板保持部材３９が必要となり、部品点数の増加が避けられない。
【００１３】
また、金属遮蔽板３７と受信回路基板３５との間隔も、金属遮蔽板３７と受信回路基板３５との接触を避けるため、一定間隔以上にする必要がある。
【００１４】
それゆえ、送信回路基板３４と受信回路基板３５との間隔を狭めようとしても、金属遮蔽板３７との間隔の確保、および、金属遮蔽板保持部材３９の設置のため、双方向通信器３０の小型には限界がある。
【００１５】
以上のように、従来の双方向通信器（２０・３０）では、小型化に限界があり、かつ、新たな部材や複雑な構成を必要とするため、部品点数およびコストが増加するという問題点を有する。
【００１６】
本発明は、上記従来の問題点に鑑みなされたものであって、その目的は、送信回路基板および受信回路基板で発生する各電磁ノイズの相互干渉を防止し、新たな保持部材や複雑な構成を必要としない低コストかつ小型化が可能な双方向通信器を提供することにある。
【００１７】
【課題を解決するための手段】
本発明の双方向通信器は、上記の課題を解決するために、電気信号を光信号に変換して出射する発光素子と、前記発光素子に電気信号を供給する送信回路基板と、入射した光信号を電気信号に変換する受光素子と、前記受光素子から出力された電気信号を処理する受信回路基板と、前記発光素子から出射された光信号を光ファイバに導くとともに、光ファイバにより伝送されて来た光信号を前記受光素子に導く光学部品とを備えている双方向通信器において、前記送信回路基板と前記受信回路基板とが対向して配置されており、少なくとも前記光学部品が、前記送信回路基板と前記受信回路基板との間に配置され、前記光学部品には、前記送信回路基板と前記受信回路基板との電気的な相互干渉を防止する電磁遮蔽層が形成されており、前記光学部品には溝部が形成され、前記電磁遮蔽層が、前記送信回路基板および前記受信回路基板と対向する、前記溝部内の面に形成されていることを特徴としている。
【００１８】
双方向通信器を小型化するために、送信回路基板と受信回路基板とを近接した状態にて配置すると、送信回路基板と受信回路基板との間で発生する各電磁ノイズが相互に干渉するようになり、各回路基板に対して悪影響を及ぼすことになる。このため送信回路基板と受信回路基板とを近接した状態で配置した従来の双方向通信器では、上記電磁ノイズの影響を防ぐため送信回路基板と受信回路基板との間に電磁遮蔽板を設けている。この場合、電磁遮蔽板が必要となり、また、この電磁遮蔽板を保持する構成も必要となる。さらに、上記電磁遮蔽板と送信回路基板および受信回路基板との間隔は、上記電磁遮蔽板と送信回路基板および受信回路基板との接触を避けるため、一定距離以上に保つ必要がある。このため、送信回路基板と受信回路基板との間隔を十分に狭くすることができない。
【００１９】
そこで、本発明の構成では、光ファイバと発光素子および受光素子との間で光を伝送する光学部品を、対向する送信回路基板と受信回路基板との間に配置している。これにより、送信回路基板と受信回路基板との間の空間によって送信回路基板と受信回路基板との電磁遮蔽を行ない、かつ、上記空間に光学部品を配置してこの空間を有効に利用しながらも、送信回路基板と受信回路基板との間隔をある程度に保つことが可能となる。
【００２０】
それゆえ、電磁遮蔽板を備えることなく、かつ、電磁遮蔽板を保持する構成も必要とせずに、送信回路基板と受信回路基板との間で発生する各電磁ノイズの相互干渉を防止することが可能となる。
【００２１】
また、光ファイバと発光素子および受光素子との間で光を伝送する光学部品が、送信回路基板と受信回路基板との間に配置されているため、送信回路基板および受信回路基板と上記光学部品とが光ファイバの延伸方向に並んで配置されている従来の双方向通信器と比較して、光ファイバの延伸方向における双方向通信器の長さを短くすることができる。
【００２２】
したがって、送信回路基板と受信回路基板との間で発生する各電磁ノイズの相互干渉を防止し、新たな保持部材や複雑な構成を必要としない低コストかつ小型化が可能な双方向通信器を提供することが可能となる。
【００２３】
また、上記の発明によれば、送信回路基板と受信回路基板との間に配置されている光学部品に電磁遮蔽層が設けられている。
【００２４】
したがって、上記の効果に加えて、送信回路基板と受信回路基板との間で発生する各電磁ノイズの相互干渉を、より一層防止することが可能となるとともに、送信回路基板と受信回路基板との間隔を狭くした場合にも対応可能となる。
【００２５】
さらには、上記の発明によれば、電磁遮蔽層は、送信回路基板および受信回路基板と対向する面に形成されている。
【００２６】
したがって、上記の効果に加えて、送信回路基板と受信回路基板との間で発生する各電磁ノイズの相互干渉を、さらに効率良く防止することが可能となる。
【００２７】
また、電磁遮蔽層は、光学部品における溝部内の面に形成されているため、送信回路基板と受信回路基板と接触するおそれがなく、送信回路基板および受信回路基板と電磁遮蔽層との間隔を十分に狭くすることができる。それゆえ、双方向通信器の小型化が可能となる。
【００２８】
本発明の双方向通信器は、上記の双方向通信器において、前記発光素子と前記受光素子とが、前記送信回路基板と前記受信回路基板との間に配置されていることを特徴としている。
【００２９】
本発明の構成では、光ファイバへ光信号を発信する発光素子と光信号を受信する受光素子とを、対向する送信回路基板と受信回路基板との間に配置している。これにより、送信回路基板と受信回路基板との間の空間によって送信回路基板と受信回路基板との電磁遮蔽を行ない、かつ、上記空間に発光素子と受光素子とを配置してこの空間を有効に利用しながらも、送信回路基板と受信回路基板との間隔をある程度に保つことが可能となる。
【００３０】
それゆえ、電磁遮蔽板を備えることなく、かつ、電磁遮蔽板を保持する構成も必要とせずに、送信回路基板と受信回路基板との間で発生する各電磁ノイズの相互干渉を防止することが可能となる。
【００３１】
また、発光素子と受光素子とが、送信回路基板と受信回路基板との間に配置されているため、送信回路基板と発光素子とが、および、受信回路基板と受光素子とが光ファイバの延伸方向に並んで配置されている従来の双方向通信器と比較して、光ファイバの延伸方向における双方向通信器の長さを短くすることができる。
【００３２】
したがって、送信回路基板と受信回路基板との間で発生する各電磁ノイズの相互干渉を防止し、新たな保持部材や複雑な構成を必要としない低コストかつ小型化が可能な双方向通信器を提供することが可能となる。
【００３３】
また、本発明の双方向通信器は、上記の双方向通信器において、更に、光ファイバを保持するレセプタクルを備え、前記レセプタクルが、前記送信回路基板と前記受信回路基板との間に配置されていることを特徴としている。
【００３４】
上記の発明によれば、発光素子と受光素子とに加え、さらにレセプタクルが、送信回路基板と受信回路基板との間に配置されている。
【００３５】
したがって、上記の効果に加えて、光ファイバの延伸方向における双方向通信器の長さを更に短くすることが可能となる。
【００３６】
また、本発明の双方向通信器は、上記の双方向通信器において、上記レセプタクルが、上記送信回路基板および上記受信回路基板を保持する保持手段を有することを特徴としている。
【００３７】
上記の発明によれば、光ファイバを保持するレセプタクルが、同時に、送信回路基板と受信回路基板とを保持している。
【００３８】
したがって、上記の効果に加えて、送信回路基板および受信回路基板を安定して保持することができ、双方向通信器の耐久性を向上させることが可能となる。
【００３９】
また、本発明の双方向通信器は、上記の双方向通信器において、前記光学部品は、前記電磁遮蔽層として、前記発光素子から出射された光信号を光ファイバに導く機能と、光ファイバにより伝送されて来た光信号を前記受光素子に導く機能との少なくとも一方の機能を有するミラー部を更に備えることを特徴としている。
【００４０】
上記の発明によれば、電磁遮蔽層は、送信回路基板と受信回路基板との間で発生する各電磁ノイズの相互干渉を防止するためだけに設けられた専用の遮蔽層ではなく、同時に、光ファイバと発光素子および／または受光素子との間における光の伝達の機能をも発揮するミラーである。
【００４１】
つまり、電磁遮蔽層は、発光素子から発信された光信号を反射させて光信号の向きを変更し、光ファイバに集光させる機能、および／または、光ファイバから出射された光信号を反射させて光信号の向きを変更し、受光素子に集光させる機能をも有している。
【００４２】
したがって、上記の効果に加えて、電磁遮蔽層が光信号を反射させて集光する機能を同時に有することにより、送信回路基板と受信回路基板との間で発生する各電磁ノイズの相互干渉を、より簡易な構成で防止することが可能となる。
【００４３】
また、本発明の双方向通信器は、上記の双方向通信器において、前記ミラー部は、金属膜を蒸着することにより構成され、溝部の内壁にも金属膜が蒸着されており、溝部の内壁の金属膜は、ミラー部の金属膜の蒸着と同時に蒸着することにより形成されていることを特徴としている。
【００４４】
また、本発明の双方向通信器は、上記の双方向通信器において、前記発光素子と前記受光素子とが、送信回路基板と受信回路基板との対向方向において重合しないようにずれた位置に配置されていることを特徴としている。
【００４５】
上記の発明によれば、発光素子と受光素子とが、送信回路基板と受信回路基板との対向方向において重合しない。
【００４６】
それゆえ、発光素子と受光素子とが、送信回路基板と受信回路基板との対向方向において重合する配置と比較して、送信回路基板と受信回路基板との間隔を狭めることが可能となる。
【００４７】
一方、送信回路基板と受信回路基板との間隔を狭めると、送信回路基板と受信回路基板との間で発生する各電磁ノイズの相互干渉が問題となるが、前記の電磁遮蔽層により、前記電磁ノイズの相互干渉を防止することができる。
【００４８】
したがって、上記の効果に加えて、光ファイバの延伸方向と垂直な方向、つまり、送信回路基板と受信回路基板との積層方向における双方向通信器の長さを短くすることが可能となる。
【００４９】
【発明の実施の形態】
〔実施の形態１〕
本発明の実施の一形態について図１ないし図２に基づいて説明すれば、以下の通りである。
【００５０】
本実施の形態の双方向通信器１は、図１（ａ）〜（ｄ）に示すとおり、送信用光ファイバ２ａ、受信用光ファイバ２ｂ、レセプタクル３、送信部４、受信部５、光学部品６、送信回路基板７、受信回路基板８、送信用リードフレーム端子９ａ、受信用リードフレーム端子９ｂ、および、基板保持部（保持手段）１４とを備えている。
【００５１】
上記レセプタクル３は、上記送信用光ファイバ２ａおよび受信用光ファイバ２ｂを保持するための部品であり、プラスチックで成型されている。
【００５２】
上記送信部４は、送信用光ファイバ２ａに対し光信号を発信する発光素子を備えている。また、上記送信部４の発光素子は、レセプタクル３により保持されている箇所における送信用光ファイバ２ａの長手方向（以下、送信用光ファイバ２ａの延伸方向という）に光を発するように設置されている。
【００５３】
上記受信部５は、受信用光ファイバ２ｂからの光信号を受信する受光素子を備えている。また、上記受信部５の受光素子も、レセプタクル３により保持されている箇所における受信用光ファイバ２ｂの長手方向（以下、受信用光ファイバ２ｂの延伸方向という）からの光を受信するように設置されている。
【００５４】
上記光学部品６は、上記発光素子から発せられた送信光を送信用光ファイバ２ａに結合させるとともに、受信用光ファイバ２ｂから出射した受信光を高い効率で上記受光素子に結合させることが可能な光学部品である。
【００５５】
なお、従来の双方向通信器２０・３０において上記光学部品６に対応する部品は、送受信部２３、送信部３２、および、受信部３３に内蔵されている。つまり、従来の双方向通信器２０の送受信部２３にはプリズムが、双方向通信器３０の送信部３２および受信部３３にはレンズといった光学部品が組み込まれた構成となっている。つまり、本実施の形態においては、送信部４および受信部５は、上記光学部品６の機能を有する部材を省いた構成としている。
【００５６】
また、上記光学部品６は、アクリルやポリメチルメタクリレート等の光透過性に優れたプラスチックを用いて成型されている。それゆえ、安価に製造することができるものである。
【００５７】
さらに、この光学部品６には、送信光または受信光を集光させるレンズ（図示せず）が備えられている。
【００５８】
また、上記光学部品６は、より詳細には、図１（ｄ）に示すとおり、レセプタクル３、送信部４、および、受信部５を保持する構成としている。
【００５９】
上記送信回路基板７は、発光素子に供給する電気信号を生成する集積回路を組み込んだ基板である。また、上記受信回路基板８は、受光素子から供給される電気信号を処理する集積回路を組み込んだ基板である。なお、上記送信回路基板７と受信回路基板８とは、信号入出力端子（図示せず）により、それぞれ外部の機器と接続されている。
【００６０】
ここで、上記送信部４と送信回路基板７とは、リードフレーム端子９ａにより接続され、上記受信部５と受信回路基板８とは、リードフレーム端子９ｂにより接続されている。これにより、送信回路基板７の電気信号が送信部４に伝えられ、受信部５からの電気信号が受信回路基板８に伝えられる。
【００６１】
以上のように、本実施の形態の双方向通信器１では、送信回路基板７で生成された電気信号が送信部４において光信号に変換され、この光信号が光学部品６を介して送信用光ファイバ２ａに伝送されることにより送信が行なわれる。また、受信用光ファイバ２ｂから出射された光信号は、光学部品６を介して受信部５に入り、この受信部５で光信号から電気信号に変換され、その後、受信回路基板８で電気信号を処理することにより受信が行なわれる。
【００６２】
次に、本発明の特徴となる送信回路基板７と受信回路基板８との双方向通信器１内での基板配置について説明する。
【００６３】
上記双方向通信器１では、上記送信回路基板７および受信回路基板８が、図１（ａ）に示すとおり、送信用光ファイバ２ａと受信用光ファイバ２ｂとの積層方向と同じ方向に積層されている。つまり、上記送信回路基板７、送信用光ファイバ２ａ、受信用光ファイバ２ｂ、受信用回路基板８が、この順に並んでいる。
【００６４】
また、上記送信回路基板７および受信回路基板８は、レセプタクル３、送信部４、受信部５、および、光学部品６を両側から挟むように配されている。
【００６５】
さらに、レセプタクル３と、光学部品６と、送信部４および受信部５とが、送信用光ファイバ２ａおよび受信用光ファイバ２ｂの延伸方向と平行な方向に沿って、この順に配されている。
【００６６】
ここで、上記送信用リードフレーム端子９ａは、送信用光ファイバ２ａと受信用光ファイバ２ｂとの積層方向に伸びており、上記送信部４と送信回路基板７との間を最短距離で接続するように、送信部４と送信回路基板７とのそれぞれに半田にて接続されている。また、同様に、上記受信用リードフレーム端子９ｂは、送信用光ファイバ２ａと受信用光ファイバ２ｂとの積層方向に伸びており、上記受信部５と受信回路基板８との間を最短距離で接続するように、受信部５と受信回路基板８とのそれぞれに半田にて接続されている。
【００６７】
また、上記送信回路基板７および受信回路基板８は、上記送信用リードフレーム端子９ａおよび受信用リードフレーム端子９ｂだけではなく、レセプタクル３に設けられた突起部である基板保持部１４によっても保持されている。つまり、上記送信回路基板７および受信回路基板８に基板保持部１４をはめ込むための穴を予め設けておき、この穴に基板保持部１４をはめ込むことにより、上記送信回路基板７および受信回路基板８が保持される。
【００６８】
このように送信回路基板７および受信回路基板８をレセプタクル３の基板保持部１４にて保持することにより、双方向通信器１の耐久性を向上させることができる。特に、上記送信用リードフレーム端子９ａおよび受信用リードフレーム端子９ｂにおける他の機器との接続部に加わる力、つまり送信部４、送信回路基板７、受信部５、および、受信回路基板８との接続部に加わる力を低減することができ、上記送信用リードフレーム端子９ａおよび受信用リードフレーム端子９ｂの損傷を防止することができる。
【００６９】
以上のように、本実施の形態の双方向通信器１は、レセプタクル３、送信部４、受信部５、光学部品６、送信回路基板７、および、受信回路基板８が互いに機械的に干渉しない構成、つまり位置関係において相互に干渉しない構成を有している。
【００７０】
さらに、本実施の形態の双方向通信器１では、上述したとおり、送信回路基板７および受信回路基板８の配置を、レセプタクル３、送信部４、受信部５、および、光学部品６を挟むような配置としているため、上記送信回路基板７と受信回路基板８との間の距離をある程度大きくすることができる。その結果、本実施の形態の双方向通信器１では、送信回路基板７と受信回路基板８との間で発生する各電磁ノイズの相互干渉を防止することが可能となる。
【００７１】
また、送信回路基板７および受信回路基板８の配置を、レセプタクル３、送信部４、受信部５、および、光学部品６を挟むような配置としているため、送信用光ファイバ２ａおよび受信用光ファイバ２ｂの延伸方向における双方向通信器１の長さを、従来の双方向通信器（２０・３０）と比較して、約半分程度の長さとすることが可能となる。
【００７２】
さらに、上記したとおり、本実施の形態の双方向通信器１では、上記送信回路基板７と受信回路基板８とを保持するための新たな部材も必要としない。また、双方向通信器１は、上記したとおり、光学部品６がレセプタクル３、送信部４、および、受信部５を保持する構成としているため、レセプタクル３、送信部４、受信部５、および、光学部品６を保持する筐体を必要としない。それゆえ、低コストかつ小型化が可能となる。
【００７３】
以上のように、双方向通信器１を上記の構成とすることにより、送信回路基板７と受信回路基板８との間で発生する各電磁ノイズの相互干渉を防止し、新たな保持部材や複雑な構成を必要としない低コストかつ小型化が可能な双方向通信器が得られる。
【００７４】
なお、本実施の形態の双方向通信器１においては、送信回路基板７および受信回路基板８の配置を、レセプタクル３、送信部４、受信部５、および、光学部品６を挟むような配置としたが、必ずしもこれに限定されず、例えば、送信回路基板７および受信回路基板８の配置を、少なくとも光学部品６を挟むような配置とすることもできる。また、送信回路基板７および受信回路基板８の配置を、少なくとも送信部４および受信部５を挟むような配置とすることもできる。
【００７５】
上記の構成でも、送信回路基板７と受信回路基板８との距離を一定以上に保つことにより、送信回路基板７と受信回路基板８との間で発生する各電磁ノイズの相互干渉を防止することが可能となる。また、少なくとも、光学部品、あるいは、送信部４および受信部５を挟む構成としているため、双方向通信器１における送信用光ファイバ２ａおよび受信用光ファイバ２ｂ方向の長さを従来の双方向通信器（２０・３０）よりも短くすることもでき、小型化が可能となる。
【００７６】
また、上記送信用リードフレーム端子９ａも、上記のような配置に特に限定されるものではなく、送信部４と送信回路基板７とを必ずしも最短距離で接続する必要はない。同様に、上記受信用リードフレーム端子９ｂも、受信部５と受信回路基板８とを必ずしも最短距離で接続する必要はない。
【００７７】
さらに、送信部４と受信部５との配置も、上記のような配置に限定されるものではなく、例えば、送信部４および／または受信部５を、送信用光ファイバ２ａと受信用光ファイバ２ｂとを同時に含む平面に積層するように、かつ、光学部品６の上部あるいは下部となるように、送信回路基板７と受信回路基板８との間に配置してもよい。この場合には、上記光学部品６に送信光および／または受信光を反射させるミラーが必要となる。このミラーには、アルミ（Ａｌ）または金（Ａｕ）などの光反射率の高い金属膜を蒸着し、かつ、反射面における光の損失を無視することができる全反射するミラーを用いればよい。
【００７８】
なお、光学部品を上記レンズと上記ミラーとを設ける構成とするか、あるいは、上記レンズを２つ設ける構成とするか、あるいは、上記ミラーを２つ設ける構成とするかは、送信用光ファイバ２ａの直径および発光素子の直径と、受信用光ファイバ２ｂの直径および受光素子の直径とに応じて適宜選択すればよい。
【００７９】
例えば、送信用光ファイバ２ａの直径および発光素子の直径が小さく、かつ、受信用光ファイバ２ｂの直径および受光素子の直径が大きい場合には、発光素子からの光を集光する手段としてレンズを、受光素子に光を集光する手段としてミラーを用いる方が、双方向通信器１の小型化を図る上で好ましい。
【００８０】
また、双方向通信器１の他の変形例として、図２（ａ）〜（ｃ）に示すとおり、送信回路基板７および受信回路基板８の配置を変更した双方向通信器１’があげられる。この双方向通信器１’では、送信用光ファイバ２ａと受信用光ファイバ２ｂとを同時に含む平面を挟むように、上記送信回路基板７および受信回路基板８を積層させている。この構成でも、双方向通信器１と同様な効果が得られる。
【００８１】
なお、上記の実施の形態においては、２本の光ファイバ、つまり送信用光ファイバ２ａと受信用光ファイバ２ｂとを用いた双方向通信器１、１’を例として示したが、１本の光ファイバのみを有する双方向通信器あるいは３本以上の光ファイバを有する双方向通信器においても適用することが可能である。
【００８２】
〔実施の形態２〕
本発明の他の実施の形態について図３〜図７に基づいて説明すれば、以下の通りである。なお、説明の便宜上、前記の実施の形態１の図面に示した部材と同一の機能を有する部材については、同一の符号を付し、その説明を省略する。
【００８３】
本実施の形態の双方向通信器１’’は、図３（ａ）〜（ｃ）に示すとおり、送信用光ファイバ２ａ、受信用光ファイバ２ｂ、レセプタクル３、送信部４、受信部５、光学部品６’、送信回路基板７、受信回路基板８、送信用リードフレーム端子９ａ、受信用リードフレーム端子９ｂ、および、基板保持部（保持手段）１４とを備えている。
【００８４】
上記光学部品６’は、図４に示すとおり、レンズ１０、ミラー１１（ミラー部）、および、溝１２（溝部）を備えている。
【００８５】
上記レンズ１０は、送信部からの光信号を集光し、送信用光ファイバ２ａに光信号を伝送するものである。
【００８６】
上記ミラー１１は、受信用光ファイバ２ｂから伝送されてきた受信光を反射し、受信部５の受光素子に集光させるものである。また、上記ミラー１１は、アルミ（Ａｌ）または金（Ａｕ）などの光反射率の高い金属膜（以下、ミラー部金属膜という）を蒸着することにより構成されている。さらに、上記ミラー１１は、曲面形状を有しており、かつ、反射面における光の損失を無視することができる全反射ミラーである。また、上記ミラー部金属膜は、接地されている。
【００８７】
上記溝１２は、送信回路基板７および受信回路基板８に平行となるように、上記ミラー１１の外側、つまり受信回路基板８側に設けられている。なお、上記溝１２の位置は、これに限らず、上記ミラー１１の内側、つまり送信回路基板７側に設けても構わない。
【００８８】
また、上記ミラー部金属膜の蒸着と同時に、溝１２の内壁にも金属膜（以下、溝部金属膜という）を蒸着することとする。
【００８９】
なお、上記光学部品６’の金属膜が蒸着された以外の部分は、アクリルやポリメチルメタクリレート等の光透過性に優れたプラスチックを用いて成型されている。
【００９０】
次に、送信回路基板７と受信回路基板８との双方向通信機器１’’内での基板配置について説明する。
【００９１】
上記双方向通信器１’’では、上記送信回路基板７および受信回路基板８が、図３（ａ）に示すとおり、送信用光ファイバ２ａと受信用光ファイバ２ｂとの積層方向と同じ方向に積層されている。つまり、上記送信回路基板７、送信用光ファイバ２ａ、受信用光ファイバ２ｂ、受信用回路基板８が、この順に並んでいる。
【００９２】
また、上記送信回路基板７および受信回路基板８は、レセプタクル３、送信部４、受信部５、および、光学部品６’を両側から挟むように配されている。
【００９３】
さらに、レセプタクル３と、光学部品６’および受信部５と、送信部４とが、送信用光ファイバ２ａおよび受信用光ファイバ２ｂの延伸方向と平行な方向に沿って、この順に配されている。なお、送信部４と受信部５との配置関係については後述する。
【００９４】
ここで、上記送信用リードフレーム端子９ａは、送信用光ファイバ２ａと受信用光ファイバ２ｂとの積層方向に伸びており、上記送信部４と送信回路基板７との間を最短距離で接続するように、送信部４と送信回路基板７とのそれぞれに半田にて接続されている。また、同様に、上記受信用リードフレーム端子９ｂは、送信用光ファイバ２ａと受信用光ファイバ２ｂとの積層方向に伸びており、上記受信部５と受信回路基板８との間を最短距離で接続するように、受信部５と受信回路基板８とのそれぞれに半田にて接続されている。
【００９５】
また、上記送信回路基板７および受信回路基板８は、上記送信用リードフレーム端子９ａおよび受信用リードフレーム端子９ｂだけではなく、レセプタクル３から突起した基板保持部１４によっても保持されている。つまり、上記送信回路基板７および受信回路基板８に基板保持部１４をはめ込むための穴を予め設けておき、この穴に基板保持部１４をはめ込むことにより、上記送信回路基板７および受信回路基板８が保持される。
【００９６】
このように送信回路基板７および受信回路基板８を基板保持部１４にて保持することにより、双方向通信器１’’の耐久性を向上させることができる。特に、上記送信用リードフレーム端子９ａおよび受信用リードフレーム端子９ｂにおける他の機器との接続部に加わる力、つまり送信部４、送信回路基板７、受信部５、および、受信回路基板８との接続部に加わる力を低減することができ、上記送信用リードフレーム端子９ａおよび受信用リードフレーム端子９ｂの損傷を防止することができる。
【００９７】
次に、上記送信部４と受信部５との配置について説明する。
【００９８】
上記実施の形態１においては、送信部４と受信部５とは、送信用光ファイバ２ａと受信用光ファイバ２ｂとの積層方向にそって、互いに積層するように配置した構成である。
【００９９】
しかし、本実施の形態においては、図３（ａ）〜（ｃ）に示すとおり、送信部４と受信部５とを積層して配置せずに、受信部５を送信用光ファイバ２ａと受信用光ファイバ２ｂとを含む平面に平行となるように配置する。つまり、送信部４から発信する送信光と、受信部５へ入射する受信光とが直交するように受信部５を配置する。
【０１００】
また、光学部品６’と送信部４との配置領域を分ける平面を空間分離面１３とすると、受信部５を光学部品６’側に配置する。つまり、送信部４と受信部５とが、送信回路基板７と受信回路基板８との対向方向において重合しないようにずれた位置に配置する。
【０１０１】
以上により、送信部４の配置は、上記実施の形態１と同様としながらも、受信部５の配置が実施の形態１における配置と異なるため、送信用光ファイバ２ａと受信用光ファイバ２ｂとの間隔を狭めることが可能になる。
【０１０２】
以下に、図５又は図６を用いて、送信用光ファイバ２ａと受信用光ファイバ２ｂとの間隔を狭めることができる理由を説明する。
【０１０３】
上記実施の形態１の双方向通信器１では、図５に示すとおり、送信部４と受信部５とが並列している。そのため、送信用光ファイバ２ａと受信用光ファイバ２ｂとの間隔は、少なくとも送信部４の発光素子と受信部５の受光素子との間隔以上が必要となる。
【０１０４】
一方、本実施の形態の双方向通信器１’’では、図６に示すとおり、送信部４と受信部５とが上記空間分離面１３の互いに異なる側に配置されている。したがって、送信部４の発光素子から送信用光ファイバ２ａへの光の伝送が受信部５によって妨げられない範囲内において、送信用光ファイバ２ａと受信用光ファイバ２ｂとの間隔を狭めることが可能となる。
【０１０５】
また、送信用光ファイバ２ａと受信用光ファイバ２ｂとの間隔を狭めることにより、送信回路基板７と受信回路基板８との間隔を狭めることができる。さらにレセプタクル３の小型化も可能となる。
【０１０６】
ところで、送信回路基板７と受信回路基板８との間隔を狭めると、送信回路基板７と受信回路基板８との電磁干渉が問題となる。しかし、本実施の形態の双方向通信器１’’では、上述したとおり、光学部品６’内にミラー部金属膜（電磁遮蔽層）と溝部金属膜（電磁遮蔽層）が設けられている。さらに、ミラー部金属膜は接地されている。それゆえ、このミラー部金属膜と溝部金属膜とが電磁遮蔽の機能を発揮することとなり、送信回路基板７と受信回路基板８との間で発生する各電磁ノイズの相互干渉を防止できる構成となっている。
【０１０７】
以上のように、本実施の形態の双方向通信器１’’は、レセプタクル３、送信部４、受信部５、光学部品６’、送信回路基板７、および、受信回路基板８が互いに機械的に干渉しない、つまり位置関係において相互に干渉しない構成を有している。
【０１０８】
さらに、本実施の形態の双方向通信器１’’では、上述したとおり、光学部品６’内にミラー部金属膜と溝部金属膜とを設けているため、送信回路基板７と受信回路基板８との間で発生する各電磁ノイズの相互干渉を防止することが可能である。
【０１０９】
また、送信回路基板７および受信回路基板８の配置を、レセプタクル３、送信部４、受信部５、および、光学部品６’を挟むような配置としているため、送信用光ファイバ２ａおよび受信用光ファイバ２ｂの延伸方向における双方向通信器１’’の長さを、従来の双方向通信器（２０・３０）と比較して、約半分程度の長さとすることが可能となる。さらに、上述したとおり、送信回路基板７と受信回路基板８との間隔も狭めることができるため、双方向通信器１’’の幅、つまり送信用光ファイバ２ａおよび受信用光ファイバ２ｂの延伸方向と垂直な方向の長さを短くすることができる。
【０１１０】
さらに、上記したとおり、本実施の形態の双方向通信器１’’では、上記送信回路基板７と受信回路基板８とを保持するための新たな部材も必要としない。また、双方向通信器１’’は、上記したとおり、光学部品６’がレセプタクル３、送信部４、受信部５を保持する構成としているため、レセプタクル３、送信部４、受信部５、および、光学部品６’を保持する筐体を必要としない。それゆえ、低コストかつ小型化が可能となる。
【０１１１】
以上のように、双方向通信器１’’を上記の構成とすることにより、送信回路基板７と受信回路基板８との間で発生する各電磁ノイズの相互干渉を防止し、新たな保持部材や複雑な構成を必要としない低コストかつ小型化が可能な双方向通信器が得られる。
【０１１２】
なお、本実施の形態の双方向通信器１’’においては、送信回路基板７および受信回路基板８の配置を、レセプタクル３、送信部４、受信部５、および、光学部品６’を挟むような配置としたが、必ずしもこれに限定されず、例えば、送信回路基板７および受信回路基板８の配置を少なくとも光学部品６’を挟むような配置とすることも可能である。
【０１１３】
上記の構成でも、送信回路基板７と受信回路基板８との距離を一定以上に保つことにより、送信回路基板７と受信回路基板８との間で発生する各電磁ノイズの相互干渉を防止することが可能となる。また、少なくとも光学部品６’を挟む構成としているため、双方向通信器１’’における送信用光ファイバ２ａおよび受信用光ファイバ２ｂ方向の長さを従来の双方向通信器（２０・３０）よりも短くすることができ、小型化が可能となる。
【０１１４】
また、上記送信用リードフレーム端子９ａも、上記のような配置に特に限定されるものではなく、送信部４と送信回路基板７とを必ずしも最短距離で接続する必要はない。同様に、上記受信用リードフレーム端子９ｂも、受信部５と受信回路基板８とを必ずしも最短距離で接続する必要はない。
【０１１５】
さらに、送信部４と受信部５との配置も、上記のような配置に限定されるものではなく、例えば、送信部４からの発信光をミラーで反射させて送信用光ファイバ２ａに伝送し、かつ、受信用光ファイバ２ｂからの出射光をレンズで集光して受信部５に伝送する構成としてもよい。
【０１１６】
また、送信用光ファイバ２ａと受信用光ファイバ２ｂとを同時に含む平面を挟むように、上記送信回路基板７および受信回路基板８を積層させてもよい。この構成でも、双方向通信器１’’と同様な効果が得られる。
【０１１７】
また、本実施の形態においては、光学部品６’の溝１２に、さらに溝部金属膜を設けて電磁遮蔽を行なう構成であるが、送信回路基板７と受信回路基板８との間で発生する各電磁ノイズの相互干渉を上記ミラー部金属膜のみで十分に防止できる場合には、溝１２および溝部金属膜を特に設ける必要はない。
【０１１８】
一方、図７に示すとおり、ミラー１１の代わりにレンズ１０’を設けた光学部品６’’を用いることにより、小型化を図ることも可能である。つまり、光学部品６’にレンズ１０とレンズ１０’を設ける構成とする。
【０１１９】
また、上記レンズ１０’を設けたことに伴い、発光素子と受光素子とが、それぞれ送信用光ファイバ２ａと受信用光ファイバ２ｂとの延伸方向に向くように送信部４と受信部５とを配置する。
【０１２０】
さらに、送信部４と受信部５とを送信用光ファイバ２ａおよび受信用光ファイバ２ｂの延伸方向にずらす。つまり、空間分離面１３により送信部４と受信部５とが空間配置的に分離される構成とする。
【０１２１】
ところで、上記の構成では、送信光の一部が、光学部品６’’内や送信用光ファイバ２ａの端面で反射されて内乱光となり、この内乱光が受光素子５に結合してノイズとなる可能性がある。そこで、溝１２を、送信回路基板７および受信回路基板８と平行になるように、レンズ１０とレンズ１０’との間に設け、さらに上記溝１２に溝部金属膜を形成する。以上により、上記溝部金属膜を設けた構成では、上記内乱光が受光素子に結合してノイズとなることを防止できるとともに、送信回路基板７と受信回路基板８との間で発生する各電磁ノイズの相互干渉を防止することが可能となる。
【０１２２】
また、上記光学部品６’および光学部品６’’では、レンズ１０とミラー１１とを備えた構成、および、レンズ１０とレンズ１０’とを備えた構成について説明したが、これに限定されず、ミラー１１ともう一つの他のミラーとを備えた構成としてもよい。
【０１２３】
なお、上記の実施の形態においては、２本の光ファイバ、つまり送信用光ファイバ２ａと受信用光ファイバ２ｂとを用いた双方向通信器１を例として示したが、１本の光ファイバのみを有する双方向通信器あるいは３本以上の光ファイバを有する双方向通信器においても適用することが可能である。
【０１２４】
【発明の効果】
本発明の双方向通信器は、以上のように、前記送信回路基板と前記受信回路基板とが対向して配置されており、少なくとも前記光学部品が、前記送信回路基板と前記受信回路基板との間に配置されているものである。
【０１２５】
それゆえ、送信回路基板と受信回路基板との間で発生する各電磁ノイズの相互干渉を防止し、新たな保持部材や複雑な構成を必要としない低コストかつ小型化が可能な双方向通信器を提供することが可能となるという効果を奏する。
【０１２６】
本発明の双方向通信器は、以上のように、前記送信回路基板と前記受信回路基板とが対向して配置されており、少なくとも前記発光素子と前記受光素子とが、前記送信回路基板と前記受信回路基板との間に配置されているものである。
【０１２７】
それゆえ、送信回路基板と受信回路基板との間で発生する各電磁ノイズの相互干渉を防止し、新たな保持部材や複雑な構成を必要としない低コストかつ小型化が可能な双方向通信器を提供することが可能となるという効果を奏する。
【０１２８】
また、本発明の双方向通信器は、上記の双方向通信器において、光ファイバを保持するレセプタクルと、前記発光素子から出射された光信号を光ファイバに導くとともに、光ファイバにより伝送されて来た光信号を前記受光素子に導く光学部品とを備え、前記レセプタクルと前記光学部品とが、さらに、前記送信回路基板と前記受信回路基板との間に配置されているものである。
【０１２９】
それゆえ、上記の効果に加えて、光ファイバの延伸方向における双方向通信器の長さを更に短くすることが可能となるという効果を奏する。
【０１３０】
また、本発明の双方向通信器は、上記の双方向通信器において、上記レセプタクルが、上記送信回路基板および上記受信回路基板を保持する保持手段を有するものである。
【０１３１】
それゆえ、上記の効果に加えて、送信回路基板および受信回路基板を安定して保持することができ、双方向通信器の耐久性を向上させることが可能となるという効果を奏する。
【０１３２】
また、本発明の双方向通信器は、上記の双方向通信器において、上記光学部品に、上記送信回路基板と上記受信回路基板との電気的な相互干渉を防止する電磁遮蔽層が形成されているものである。
【０１３３】
それゆえ、上記の効果に加えて、送信回路基板と受信回路基板との間で発生する各電磁ノイズの相互干渉を、より一層に防止することが可能となるとともに、送信回路基板と受信回路基板との間隔を狭くした場合にも対応可能となるという効果を奏する。
【０１３４】
また、本発明の双方向通信器は、上記の双方向通信器において、前記電磁遮蔽層は、前記発光素子から出射された光信号を光ファイバに導く機能と、光ファイバにより伝送されて来た光信号を前記受光素子に導く機能との少なくとも一方の機能を有するミラー部であるものである。
【０１３５】
それゆえ、上記の効果に加えて、電磁遮蔽層が光信号を反射させて集光する機能を同時に有することにより、送信回路基板と受信回路基板との間で発生する各電磁ノイズの相互干渉を、より簡易な構成で防止することが可能となるという効果を奏する。
【０１３６】
また、本発明の双方向通信器は、上記の双方向通信器において、前記光学部品には溝部が形成され、前記電磁遮蔽層が、前記送信回路基板および前記受信回路基板と対向する、前記溝部内の面に形成されているものである。
【０１３７】
それゆえ、上記の効果に加えて、送信回路基板と受信回路基板との間で発生する各電磁ノイズの相互干渉を、さらに効率良く防止することができる。また、送信回路基板および受信回路基板と電磁遮蔽層との間隔を十分に狭くすることができ、双方向通信器の小型化が可能となるという効果を奏する。
【０１３８】
また、本発明の双方向通信器は、上記の双方向通信器において、前記発光素子と前記受光素子とが、送信回路基板と受信回路基板との対向方向において重合しないようにずれた位置に配置されているものである。
【０１３９】
それゆえ、上記の効果に加えて、光ファイバの延伸方向と垂直な方向、つまり、送信回路基板と受信回路基板との積層方向における双方向通信器の長さを短くすることが可能となるという効果を奏する。
【図面の簡単な説明】
【図１】  （ａ）は本発明の一実施の形態にかかる双方向通信器の構成を示す上面図であり、（ｂ）は上記一実施の形態にかかる双方向通信器の構成を示す正面図であり、（ｃ）は上記一実施の形態にかかる双方向通信器の構成を示す側面図であり、（ｄ）は上記一実施の形態にかかる双方向通信器の構成の一部を示す上面図である。
【図２】  （ａ）は本発明の一実施の形態にかかる双方向通信器の他の構成を示す上面図であり、（ｂ）は上記一実施の形態にかかる双方向通信器の他の構成を示す正面図であり、（ｃ）は上記一実施の形態にかかる双方向通信器の他の構成を示す側面図である。
【図３】  （ａ）は本発明の他の実施の形態にかかる双方向通信器の構成を示す上面図であり、（ｂ）は上記他の実施の形態にかかる双方向通信器の構成を示す正面図であり、（ｃ）は上記他の実施の形態にかかる双方向通信器の構成を示す側面図である。
【図４】  本発明の他の実施の形態にかかる双方向通信器の光学部品を示す拡大図である。
【図５】  本発明の一実施の形態にかかる双方向通信器の概略構成を示す上面図である。
【図６】  本発明の他の実施の形態にかかる双方向通信器の概略構成を示す上面図である。
【図７】  （ａ）は本発明の他の実施の形態にかかる双方向通信器の他の構成を示す上面図であり、（ｂ）は上記他の実施の形態にかかる双方向通信器の他の構成を示す正面図であり、（ｃ）は上記他の実施の形態にかかる双方向通信器の他の構成を示す側面図である。
【図８】  従来の双方向通信器の構成を示す断面図である。
【図９】  従来の他の双方向通信器の構成を示す断面図である。
【符号の説明】
１、１’、１’’  双方向通信器
２ａ  送信用光ファイバ（光ファイバ）
２ｂ  受信用光ファイバ（光ファイバ）
３    レセプタクル
４    送信部（発光素子）
５    受信部（受光素子）
６、６’、６’’  光学部品
７    送信回路基板
８    受信回路基板
９ａ  送信用リードフレーム端子
９ｂ  受信用リードフレーム端子
１０、１０’  レンズ
１１    ミラー（電磁遮蔽層、ミラー部）
１２    溝（電磁遮蔽層、溝部）
１３    空間分離面
１４    基板保持部（保持手段）
２０、３０    双方向通信器
２１    光ファイバ
２２、３１    レセプタクル
２３    送受信部
２４、３４    送信回路基板
２５、３５    受信回路基板
２６、３６    電子部品
２７    信号入出力端子
２８、３７    金属遮蔽板
２９、３８    筐体
３２    送信部
３３    受信部
３９    金属遮蔽板保持部材
【図１】
0003850750.tif 000002
【図２】
0003850750.tif 000003
【図３】
0003850750.tif 000004
【図４】
0003850750.tif 000005
【図５】
0003850750.tif 000006
【図６】
0003850750.tif 000007
【図７】
0003850750.tif 000008
【図８】
0003850750.tif 000009
【図９】
0003850750.tif 000010